(57)【要約】【課題】リモコン送受信機側で撮影画像を確認できるようにした電子カメラシステムを得る。【解決手段】電子スチルカメラ１００と携帯電話機２００とが通信媒体３００で接続される。通信媒体３００は、たとえば、Ｂｌｕｅｔｏｏｔｈ（登録商標）などの無線通信である。携帯電話機２００は電子スチルカメラ１００のリモコン送受信機として動作する。携帯電話機２００が電子スチルカメラ１００に対して操作信号を送信すると、電子スチルカメラ１００は受信した操作信号に応じてカメラ動作を行う。電子スチルカメラ１００は、撮影した画像データに対して携帯電話機２００のＬＣＤ表示部２１５の表示解像度に応じたリサイズ処理を施し、リサイズ処理後の縮小画像データを携帯電話機２００へ送信する。携帯電話機２００は、縮小画像データを受信してＬＣＤ表示部２１５に表示する。【選択図】図１
2004096166.tif 000002
【特許請求の範囲】
【請求項１】
被写体像を撮像して画像信号を出力する撮像装置と、
外部機器との間で通信を行う通信回路と、
前記通信回路を介して入力される前記外部機器からのレリーズ指示に応じて、前記撮像装置による画像信号を用いて所定のデータサイズの画像データを生成する画像処理回路と、
前記画像処理回路により生成された画像データを前記外部機器へ出力するように前記通信回路を制御する制御回路とを備えることを特徴とする電子カメラ。
【請求項２】
請求項１に記載の電子カメラにおいて、
前記撮像装置による画像信号を記録媒体に記録する記録回路と、
前記通信回路を介して入力される前記外部機器からの編集指示に応じて、前記記録回路によって記録される画像信号を編集するデータ編集回路とをさらに備え、
前記記録回路は、前記データ編集回路により編集された画像信号を前記記録媒体に記録することを特徴とする電子カメラ。
【請求項３】
請求項２に記載の電子カメラにおいて、
前記編集指示は、削除指示であり、
前記データ編集回路は、前記削除指示にしたがって前記記録媒体に記録する画像信号を削除することを特徴とする電子カメラ。
【請求項４】
請求項２に記載の電子カメラにおいて、
前記編集指示は、データ付加指示であり、
前記データ編集回路は、前記データ付加指示にしたがって前記通信回路を介して入力される前記外部機器からの付加データを前記記録媒体に記録する画像信号に関連づけて付加することを特徴とする電子カメラ。
【請求項５】
請求項１に記載の電子カメラにおいて、
前記外部機器から入力される指示は、前記外部機器で必要なデータサイズのサイズ情報を含み、
前記画像処理回路は、前記サイズ情報にしたがって前記撮像装置による画像信号を用いて前記外部機器で必要なデータサイズの画像データを生成することを特徴とする電子カメラ。
【請求項６】
請求項１に記載の電子カメラにおいて、
撮影開始を示すデータを記憶する記憶回路をさらに備え、
前記制御回路は、前記レリーズ指示に応じて、前記記憶回路内の前記撮影開始を示すデータを前記外部機器へ出力するように前記通信回路をさらに制御することを特徴とする電子カメラ。
【請求項７】
請求項６に記載の電子カメラにおいて、
前記撮影開始を示すデータは、音声データであることを特徴とする電子カメラ。
【請求項８】
請求項６または７に記載の電子カメラにおいて、
前記制御回路は、前記画像処理回路により生成された画像データの出力より前記撮影開始を示すデータの出力を優先させることを特徴とする電子カメラ。
【請求項９】
被写体像を撮像して画像信号を出力する撮像装置と、外部機器との間で通信を行う第１の通信回路と、前記第１の通信回路を介して入力されるレリーズ指示に応じて、前記撮像装置による画像信号を用いて所定のデータサイズの画像データを生成する画像処理回路と、前記画像処理回路により生成された画像データを出力するように前記第１の通信回路を制御する第１の制御回路とを含む電子カメラと、
前記電子カメラとの間で通信を行う第２の通信回路と、前記電子カメラに対する指示を行う操作部材と、前記第２の通信回路を介して入力される画像データによる画像を表示する表示装置と、前記操作部材による操作信号を出力するように前記第２の通信回路を制御する第２の制御回路とを含む携帯型外部機器とを備えることを特徴とする電子カメラシステム。
【請求項１０】
請求項９に記載の電子カメラシステムにおいて、
前記携帯型外部機器は、少なくとも２台存在し、
前記電子カメラは、前記第１の通信回路を介して通信を行う前記携帯型外部機器ごとの情報を記憶する記憶回路をさらに備え、
前記第１の制御回路は、前記記憶回路に記憶されている情報に対応する少なくとも１台以上の携帯型外部機器に対して前記画像処理回路により生成された画像データを出力するように前記第１の通信回路を制御することを特徴とする電子カメラシステム。
【発明の詳細な説明】
【０００１】
【発明の属する技術分野】
本発明は、通信機能を備える電子カメラに関する。
【０００２】
【従来の技術】
リモコン送信機を操作することにより、カメラにレリーズ動作などを行わせる通信機能付きカメラが知られている。撮影者がリモコン送信機を操作してレリーズ指示を行うと、カメラが撮影を行う。
【０００３】
【発明が解決しようとする課題】
従来の技術によるカメラでは、リモコン送信機からのレリーズ指示によってカメラで撮影される画像を、リモコン送信機側で確認することができない。
【０００４】
本発明の目的は、リモコン送信機である外部機器へ撮像した画像データを送信するようにした電子カメラ、およびこの電子カメラを用いた電子カメラシステムを提供することにある。
【０００５】
【課題を解決するための手段】
本発明による電子カメラは、被写体像を撮像して画像信号を出力する撮像装置と、外部機器との間で通信を行う通信回路と、通信回路を介して入力される外部機器からのレリーズ指示に応じて、撮像装置による画像信号を用いて所定のデータサイズの画像データを生成する画像処理回路と、画像処理回路により生成された画像データを外部機器へ出力するように通信回路を制御する制御回路とを備えることにより、上述した目的を達成する。
上記電子カメラはさらに、撮像装置による画像信号を記録媒体に記録する記録回路と、通信回路を介して入力される外部機器からの編集指示に応じて、記録回路によって記録される画像信号を編集するデータ編集回路とを備える。この場合の記録回路は、データ編集回路により編集された画像信号を記録媒体に記録するようにしてよい。
編集指示は削除指示でもよく、この場合のデータ編集回路は、削除指示にしたがって記録媒体に記録する画像信号を削除することができる。
編集指示はデータ付加指示でもよく、この場合のデータ編集回路は、データ付加指示にしたがって通信回路を介して入力される外部機器からの付加データを記録媒体に記録する画像信号に関連づけて付加することができる。
上記電子カメラに外部機器から入力される指示は、外部機器で必要なデータサイズのサイズ情報を含めてよい。この場合に画像処理回路は、サイズ情報にしたがって撮像装置による画像信号を用いて外部機器で必要なデータサイズの画像データを生成することもできる。
上記電子カメラはさらに、撮影開始を示すデータを記憶する記憶回路を備える。この場合の制御回路は、レリーズ指示に応じて、記憶回路内の撮影開始を示すデータを外部機器へ出力するように通信回路をさらに制御することができる。
撮影開始を示すデータは、音声データとしてもよい。
電子カメラに上記記憶回路が備えられる場合の制御回路は、画像処理回路により生成された画像データの出力より撮影開始を示すデータの出力を優先させてもよい。
本発明による電子カメラシステムは、被写体像を撮像して画像信号を出力する撮像装置と、外部機器との間で通信を行う第１の通信回路と、第１の通信回路を介して入力されるレリーズ指示に応じて、撮像装置による画像信号を用いて所定のデータサイズの画像データを生成する画像処理回路と、画像処理回路により生成された画像データを出力するように第１の通信回路を制御する第１の制御回路とを含む電子カメラと、電子カメラとの間で通信を行う第２の通信回路と、電子カメラに対する指示を行う操作部材と、第２の通信回路を介して入力される画像データによる画像を表示する表示装置と、操作部材による操作信号を出力するように第２の通信回路を制御する第２の制御回路とを含む携帯型外部機器とを備えることにより、上述した目的を達成する。
携帯型外部機器が少なくとも２台存在する場合には、第１の通信回路を介して通信を行う携帯型外部機器ごとの情報を記憶する記憶回路を電子カメラに備えるようにしてよい。このとき、第１の制御回路は、記憶回路に記憶されている情報に対応する少なくとも１台以上の携帯型外部機器に対して画像処理回路により生成された画像データを出力するように第１の通信回路を制御することができる。
【０００６】
【発明の実施の形態】
以下、図面を参照して本発明の実施の形態を説明する。
図１は、本発明の一実施の形態による電子カメラシステムを説明する図である。図１において、電子スチルカメラ１００と携帯電話機２００とが通信媒体３００で接続されている。通信媒体３００は、たとえば、Ｂｌｕｅｔｏｏｔｈ（登録商標）などの無線通信である。本実施の形態では、携帯電話機２００が電子スチルカメラ１００のリモコン送受信機として動作し、電子スチルカメラ１００と携帯電話機２００との間で無線によるデータ伝送を行う。携帯電話機２００は、電子スチルカメラ１００に対して操作信号を送信し、電子スチルカメラ１００は、受信した操作信号に応じてカメラ動作を行う。電子スチルカメラ１００が撮影した画像データを携帯電話機２００に送信すると、携帯電話機２００は画像データを受信してＬＣＤ表示部に表示する。
【０００７】
電子スチルカメラ１００は、電源スイッチ１１１と、レリーズボタン１１２と、ズームアップスイッチ１１３と、ズームダウンスイッチ１１４と、画像データ削除スイッチ１１５と、画像データ表示延長スイッチ１１６と、リモコン動作モードオン／オフ切替えスイッチ１１７と、ＬＣＤ表示部１１８とを有する。電源スイッチ１１１は、電子スチルカメラ１００の電源のオン／オフを行う操作部材である。レリーズボタン１１２は、電子スチルカメラ１００に撮影動作を開始させる操作部材である。ズームアップスイッチ１１３は、不図示の撮影レンズのズーム倍率を上げるための操作部材である。ズームダウンスイッチ１１４は、撮影レンズのズーム倍率を下げるための操作部材である。画像データ削除スイッチ１１５は、撮影した画像データを削除するための操作部材である。
【０００８】
画像データ表示延長スイッチ１１６は、レリーズボタン１１２の操作後に撮影された画像データによる画像（フリーズ画像）がＬＣＤ表示部１１８に表示される時間を延長させる操作部材である。フリーズ画像の表示時間は通常、たとえば、３秒間であるが、画像データ表示延長スイッチ１１６の操作によりさらに１０秒間延長される。リモコン動作モードオン／オフ切替えスイッチ１１７は、カメラをリモコン動作モードにするか否かを切換える操作部材である。電子スチルカメラ１００は、リモコン動作モードに設定されているとき、リモコンによって操作され、リモコン動作モードに設定されていないとき、カメラの操作部材によって操作される。なお、電子スチルカメラ１００の上記各スイッチおよびボタンを総称して操作部材１１０とする。
【０００９】
携帯電話機２００は、電源スイッチ２１１と、第１のファンクションスイッチ２１２と、第２のファンクションスイッチ２１３と、第３のファンクションスイッチ２１４と、ＬＣＤ表示部２１５とを有する。電源スイッチ２１１は、携帯電話機２００の電源のオン／オフを行う操作部材である。第１のファンクションスイッチ２１２〜第３のファンクションスイッチ２１４は、それぞれ電子スチルカメラ１００に対する操作を行う操作部材である。各ファンクションスイッチの機能はＬＣＤ表示部２１５上に表示される。ＬＣＤ表示部２１５は、電子スチルカメラ１００から送信される画像データによる画像を表示する他、第１のファンクションスイッチ２１２〜第３のファンクションスイッチ２１４の機能を表示する。なお、携帯電話機２００の上記各スイッチを総称して操作部材２１０とする。
【００１０】
図２は、電子スチルカメラ１００の概要を示すブロック図である。図２において、電子スチルカメラ１００は、撮影ズームレンズ１３１と、撮像素子１３２と、Ａ／Ｄ変換回路１３３と、画像処理回路１３４と、バッファメモリ１３５と、ＣＰＵ１３６と、フレームメモリ１３７と、ＬＣＤ表示部１１８と、ズームレンズ駆動装置１３８と、送受信回路１５０と、操作部材１１０とを有する。操作部材１１０には上述したレリーズボタン１１２などが含まれている。操作部材１１０が操作されると、各スイッチおよびボタンによる操作信号がＣＰＵ１３６に送られる。また、電子スチルカメラ１００には、着脱可能な記録媒体１４０が設けられている。
【００１１】
電源スイッチ１１１がオン操作されると、ＣＰＵ１３６は電子スチルカメラ１００の所定のオン動作を行って制御プログラムを起動する。ＣＰＵ１３６は、たとえば、ＣＣＤなどによって構成される撮像素子１３２に対し、電荷蓄積および蓄積電荷読み出しのための動作タイミングを制御する。ＣＰＵ１３６は、ズームアップスイッチ１１３およびズームダウンスイッチ１１４（図１）からズーム操作信号が入力されると、操作信号に応じてズームレンズ駆動装置１３８にレンズ駆動指令を出力し、ズームレンズ１３１の焦点距離を変化させる。
【００１２】
レリーズボタン１１２（図１）からのレリーズ操作信号がＣＰＵ１３６に入力されると、ＣＰＵ１３６は撮影動作を開始させる。なお、カメラがリモコン動作モードに設定されている状態では、送受信回路１５０によって受信されるレリーズ信号によって撮影動作を開始させる。撮像素子１３２の撮像面上に撮影ズームレンズ１３１による被写体像が結像され、撮像素子１３２は被写体光の明るさに応じて信号電荷を蓄積する。撮像素子１３２に蓄積された信号電荷はＣＰＵ１３６によるタイミング信号によって吐き出され、Ａ／Ｄ変換回路１３３でアナログ撮像信号からディジタル信号に変換される。ディジタル変換された信号は画像処理回路１３４に導かれ、輪郭補償やガンマ補正、色温度調整など、所定の画像処理が行われ、バッファメモリ１３５に一時格納される。
【００１３】
画像処理後の画像データは、画像処理回路１３４により表示用の画像データに処理され、フレームメモリ１３７に格納される。フレームメモリ１３７に格納された表示用データは、ＬＣＤ表示部１１８などの外部モニタに撮影結果（フリーズ画像）として表示される。画像処理回路１３４はさらに、バッファメモリ１３５内の上記画像処理後の画像データをＪＰＥＧなどの記録方式で所定の比率にデータ圧縮する処理を行う。データ圧縮を受けた画像データは、ＣＰＵ１３６によって所定のファイル名が付与され、記録媒体１４０に記録される。
【００１４】
画像処理回路１３４は、電子スチルカメラ１００がリモコン動作モードに設定されている状態において、バッファメモリ１３５に格納された上記画像処理後の画像データから携帯電話機２００が有するＬＣＤ表示部２１５の表示解像度に応じた縮小画像データを生成する。縮小画像データは、送受信回路１５０によって送信波にのせられ、アンテナ１５０Ａから携帯電話機２００に向けて送信される。送受信回路１５０は、カメラがリモコン動作モードに設定されるとき、上記縮小画像データの送信の他にも携帯電話機２００との間で所定のデータ通信を行う。
【００１５】
図３は、携帯電話機２００の概要を示すブロック図である。図３において、携帯電話機２００は、音声入出力回路２３１と、ＣＰＵ２３２と、メモリ２３３と、送受信回路２３４と、フレームメモリ２３５と、メモリスロット２３６と、ＬＣＤ表示部２１５と、操作部材２１０とを有する。操作部材２１０には上述した第１のファンクションスイッチ２１２〜第３のファンクションスイッチ２１４などが含まれている。操作部材２１０が操作されると、各スイッチによる操作信号がＣＰＵ２３２に送られる。
【００１６】
電源スイッチ２１１がオン操作されると、ＣＰＵ２３２は携帯電話機２００の所定のオン動作を行って制御プログラムを起動する。ＣＰＵ２３２は、電子スチルカメラ１００からのリモコン動作モードオンを示す信号を送受信回路２３４で受信すると、携帯電話機２００を電子スチルカメラ１００のリモコン送受信機として動作させる。送受信回路２３４は、携帯電話機２００がリモコン送受信機として動作するとき、電子スチルカメラ１００との間で所定のデータ通信を行う。一方、ＣＰＵ２３２は、電子スチルカメラ１００がリモコン動作モードに設定されていないとき、携帯電話機２００を電話機として動作させる。送受信回路２３４は、携帯電話機２００が電話機として動作するとき、電話機用基地局との間で所定のデータ通信を行う。本実施の形態では、携帯電話機２００がリモコン送受信機として使用されるときの動作に特徴があるので、主としてリモコン送受信機としての動作を説明し、電話機の動作説明を省略する。
【００１７】
ＣＰＵ２３２は、第１のファンクションスイッチ２１２〜第３のファンクションスイッチ２１４のいずれかのスイッチからレリーズ操作信号やズーム操作信号などが入力されると、送受信回路２３４に指令を送り、各操作信号を送信波にのせてアンテナ２３４Ａから電子スチルカメラ１００に向けて送信させる。電子スチルカメラ１００から縮小画像データが送信されると、送受信回路２３４は、アンテナ２３４Ａを介して縮小画像データを受信する。ＣＰＵ２３２は、送受信回路２３４で復調された縮小画像データをフレームメモリ２３５に格納する。これにより、格納された縮小画像データによる画像がＬＣＤ表示部２１５に撮影結果として表示される。
【００１８】
メモリ２３３には、携帯電話機２００の所有者情報や、携帯電話機２００に登録されている通話先の電話番号や名称などのデータベースが格納される。また、携帯電話機２００が電子スチルカメラ１００のリモコン送受信機として動作する場合の動作プログラム（リモコンアプリケーションプログラム）も格納される。この動作プログラムは、たとえば、ＪＡＶＡ（登録商標）アプリケーションとして作成され、以下のいずれかの方法によって携帯電話機２００内に格納される。
【００１９】
▲１▼プログラムを提供する所定の通話先に携帯電話機２００を電話接続し、通話先から携帯電話機２００内のメモリ２３３に電話回線を通じてプログラムをダウンロードする。
▲２▼プログラムを保持するパソコン、もしくはプログラムをダウンロード可能なＷｅｂサイトに接続されているパソコンと携帯電話機２００とをケーブル接続し、ケーブルを介して携帯電話機２００内のメモリ２３３にプログラムをダウンロードする。
▲３▼プログラムを保持するパソコンから不図示のメモリカードにプログラムを格納し、このメモリカードをメモリスロット２３６に装着してメモリ２３３にプログラムをロードする。
▲４▼プログラムを保持する電子スチルカメラ１００と携帯電話機２００との間を通信媒体３００で接続し、カメラから携帯電話機２００内のメモリ２３３にプログラムをダウンロードする。
▲５▼プログラムを保持し、通信媒体３００に接続されるパソコンと携帯電話機２００との間を通信媒体３００で接続し、パソコンから携帯電話機２００内のメモリ２３３にプログラムをダウンロードする。
【００２０】
音声入出力回路２３１は、音声信号の入出力インターフェイスである。マイク２３１Ａから入力される音声信号は、音声入出力回路２３１によって所定の音声データに変換され、音声データが送受信回路２３４へ送られる。送受信回路２３４に送られた音声データは、送信波にのせてアンテナ２３４Ａから送信される。一方、アンテナ２３４Ａを介して受信され、送受信回路２３４で復調された音声データは、音声入出力回路２３１に入力される。この音声データは、音声入出力回路２３１で音声信号に復調され、スピーカ２３１Ｂによって再生される。
【００２１】
以上の電子スチルカメラ１００と携帯電話機２００とで構成される電子カメラシステムにおいて、送受されるデータの流れを図４を参照して説明する。データ通信は、Ｂｌｕｅｔｏｏｔｈ（登録商標）システムで定められるプロトコルに基づいて行われる。図４において、左側が電子スチルカメラ１００を表し、右側が携帯電話機２００を表す。また、縦方向が時間を表し、時間が経過するにつれて図４の下方に進む。図中のステップ番号が付された矢印は、電子スチルカメラ１００と携帯電話機２００間のデータの流れを表す。なお、図４はわかりやすく説明するために主要部分を抽出して表したもので、実際のデータの流れを全て表したものではない。
【００２２】
電子スチルカメラ１００がリモコン動作モードに設定されると、電子スチルカメラ１００は、ステップＳ１０１においてリモコンスタート信号を送信する。ステップＳ１０２において、携帯電話機２００はリモコン送受信機として動作を開始し、リモコン動作開始を示す信号を送信する。電子スチルカメラ１００は、ＡＥ動作（露出演算）およびＡＦ動作（デフォーカス量演算および合焦動作）を行ってレリーズ前の撮像を開始する。ステップＳ１０３において、携帯電話機２００は、スルー画像の送信を要求する信号、ＬＣＤ表示部２１５の表示解像度を示すデータおよび携帯電話機２００の所有者情報のデータを送信する。
【００２３】
電子スチルカメラ１００は、携帯電話機２００が有するＬＣＤ表示部２１５の表示解像度に応じてスルー画像データにリサイズ処理を行い、スルー画像の縮小画像データを生成する。また電子スチルカメラ１００は、縮小画像データを送信する際の通信速度およびフレームレートを決定する。ステップＳ１０４において、電子スチルカメラ１００は、スルー画像データを送信する。ステップＳ１０５において、携帯電話機２００は、スルー画像データをＬＣＤ表示部２１５に表示するとともに、次のデータ受信の用意ができたことを示す信号を送信する。電子スチルカメラは、ＡＥ動作およびＡＦ動作を行って次のフレーム画像としてレリーズ前の撮像を開始する。電子スチルカメラ１００は、スルー画像データにリサイズ処理を施し、スルー画像の縮小画像データを生成する。ステップＳ１０６において、電子スチルカメラ１００は、スルー画像データを送信する。ステップＳ１０７において、携帯電話機２００は、スルー画像データをＬＣＤ表示部２１５に表示するとともに、次のデータ受信の用意ができたことを示す信号を送信する。
【００２４】
操作者は、第１のファンクションスイッチ２１２もしくは第３のファンクションスイッチ２１４を操作してズーム操作を行う。図５（ａ）は、携帯電話機２００のＬＣＤ表示部２１５にスルー画像が表示されている例を示す図である。ＬＣＤ表示部２１５にスルー画像５Ｓが表示される。ＬＣＤ表示部２１５にはさらに、第１のファンクションスイッチ２１２の近傍にワイド側を示すズームアイコン５１が、第３のファンクションスイッチ２１４の近傍にテレ側を示すズームアイコン５２が、第２のファンクションスイッチ２１３の近傍にレリーズボタンを示すアイコン５３がそれぞれ表示される。本実施の形態では、第１のファンクションスイッチ２１２にズームダウンスイッチの機能が付与される。また、第３のファンクションスイッチ２１４にズームアップスイッチの機能が付与される。さらに、第２のファンクションスイッチ２１３にレリーズボタンの機能が付与される。
【００２５】
ステップＳ１０８において、携帯電話機２００は、第１のファンクションスイッチ２１２もしくは第３のファンクションスイッチ２１４からの操作信号に応じてズーム操作信号を送信する。電子スチルカメラ１００は、ズーム操作信号に応じてズームレンズ１３１（図２）の焦点距離を変化させる。電子スチルカメラ１００は、ＡＥ動作およびＡＦ動作を行って次のフレーム画像としてレリーズ前の撮像を開始する。電子スチルカメラ１００は、スルー画像データにリサイズ処理を施し、スルー画像の縮小画像データを生成する。ステップＳ１０９において、電子スチルカメラ１００は、スルー画像データを送信する。ステップＳ１１０において、携帯電話機２００は、スルー画像データをＬＣＤ表示部２１５に表示するとともに、次のデータ受信の用意ができたことを示す信号を送信する。
【００２６】
操作者は、第２のファンクションスイッチ２１３を操作してレリーズ操作を行う。ステップＳ１１１において、携帯電話機２００は、第２のファンクションスイッチ２１３からの操作信号に応じてレリーズ操作信号を送信する。電子スチルカメラ１００は、ＡＥ動作およびＡＦ動作を行って撮影を開始するとともに、ステップＳ１１２においてシャッター音の音声データを送信する。なお、シャッター音の音声データは、ＣＰＵ１３６内の不図示のメモリに記憶されている。
【００２７】
携帯電話機２００がシャッター音を再生することにより、レリーズ操作後に撮影が開始されたことが操作者に報知される。電子スチルカメラ１００は、フリーズ画像データにリサイズ処理を施し、フリーズ画像の縮小画像データを生成する。ステップＳ１１３において、電子スチルカメラ１００は、フリーズ画像データを送信する。ステップＳ１１４において、携帯電話機２００は、フリーズ画像データをＬＣＤ表示部２１５に表示するとともに、次のデータ受信の用意ができたことを示す信号を送信する。
【００２８】
図５（ｂ）は、携帯電話機２００のＬＣＤ表示部２１５にフリーズ画像が表示されている例を示す図である。ＬＣＤ表示部２１５にフリーズ画像５Ｆが表示される。ＬＣＤ表示部２１５にはさらに、第１のファンクションスイッチ２１２の近傍に削除アイコン５４が、第２のファンクションスイッチ２１３の近傍にフリーズ表示延長アイコン５５が、第３のファンクションスイッチ２１４の近傍に音声メモアイコン５６がそれぞれ表示される。本実施の形態では、第１のファンクションスイッチ２１２に画像データ削除スイッチの機能が付与される。また、第２のファンクションスイッチ２１３に画像データ表示延長スイッチの機能が付与される。さらに、第３のファンクションスイッチ２１４に音声メモスイッチの機能が付与される。
【００２９】
ここで音声メモとは、画像データに関連づけて記録する音声データのことである。操作者は、第３のファンクションスイッチ２１４を操作しながら、たとえば、撮影した場面の説明を音声メモとしてマイク２３１Ａ（図３）に向かって話す。ステップＳ１１５において、携帯電話機２００は、音声メモの内容を音声データとして送信する。電子スチルカメラ１００は、データ圧縮後の画像データファイルと、携帯電話機２００から送信された音声データとを関連づけて記録媒体１４０（図２）に記録する。携帯電話機２００は、ＬＣＤ表示部２１５にフリーズ画像５Ｆおよび上記各アイコン５４〜５６を表示してから経過した時間が所定時間（たとえば、５秒間）を超えると、各アイコン５４〜５６の表示を止める。
【００３０】
電子スチルカメラは、ＡＥ動作およびＡＦ動作を行って次のフレーム画像としてレリーズ前の撮像を開始する。電子スチルカメラ１００は、スルー画像データにリサイズ処理を施し、スルー画像の縮小画像データを生成する。ステップＳ１１６において、電子スチルカメラ１００は、スルー画像データを送信する。以降上述したデータ送信が繰り返される。
【００３１】
ＬＣＤ表示部２１５にフリーズ画像５Ｆおよび上記各アイコン５４〜５６が表示された状態、すなわち、上記所定時間（ここでは５秒間）が経過する前に操作者が第１のファンクションスイッチ２１２を操作すると、携帯電話機２００は、記録媒体１４０に記録した画像データファイルと音声データとを削除するように指示する信号を送信する。これにより、電子スチルカメラ１００は、フリーズ画像５Ｆに対応する画像データ、および関連づけた音声メモが記録されている場合には当該音声データを記録媒体１４０から削除する。
【００３２】
ＬＣＤ表示部２１５にフリーズ画像５Ｆおよび上記各アイコン５４〜５６が表示された状態、すなわち、上記所定時間（ここでは５秒間）が経過する前に操作者が第２のファンクションスイッチ２１３を操作すると、携帯電話機２００は、フリーズ画像５Ｆおよび上記各アイコン５４〜５６の表示時間を延長（たとえば、さらに５秒間）する。
【００３３】
電子スチルカメラ１００のＣＰＵ１３６によって行われる撮影処理の流れを、図６のフローチャートを参照して説明する。ステップＳ３０１において、ＣＰＵ１３６は、リモコン動作モードオン／オフ切替えスイッチ１１７からオン操作信号が入力されると、リモコン動作モードをオンにしてステップＳ３０２へ進む。ステップＳ３０２において、ＣＰＵ１３６は、通信システムを起動してステップＳ３０３へ進む。通信システムが起動されると、送受信回路１５０からリモコンスタート信号が送信される。ステップＳ３０３において、ＣＰＵ１３６は、スリープの設定を５分にしてステップＳ３０４へ進む。スリープの設定は、電子スチルカメラ１００に携帯電話機２００から操作信号が何も入力されない状態が続く場合に、カメラを待機モード（省電力モード）にするまでの時間を決めるものである。スリープの設定が５分にされる場合には、操作信号の無入力状態が５分間続くとカメラを待機モードにする。
【００３４】
ステップＳ３０４において、ＣＰＵ１３６は、携帯電話機２００に接続中であることを示す画面をＬＣＤ表示部１１８に表示させてステップＳ３０５へ進む。ステップＳ３０５において、ＣＰＵ１３６は、携帯電話機２００から接続要求があるか否かを判定する。ＣＰＵ１３６は、携帯電話機２００からのリモコン動作を開始する信号を送受信回路１５０で受信すると、ステップＳ３０５を肯定判定してステップＳ３０６へ進み、リモコン動作を開始する信号が受信されない場合は、ステップＳ３０５を否定判定して判定処理を繰り返す。
【００３５】
ステップＳ３０６において、ＣＰＵ１３６は、カメラ側の通信に関する情報を送受信回路１５０から送信してステップＳ３０７へ進む。通信の情報は、通信プロトコルで定められる所定の情報である。ステップＳ３０７において、ＣＰＵ１３６は、携帯電話機２００との間で通信接続されたか否かを判定する。ＣＰＵ１３６は、通信接続された場合にステップＳ３０７を肯定判定してステップＳ３０８へ進み、接続されていない場合にステップＳ３０７を否定判定して判定処理を繰り返す。
【００３６】
ステップＳ３０８において、ＣＰＵ１３６は、携帯電話機２００から送信されるリモコン側の情報を送受信回路１５０で受信してステップＳ３０９へ進む。ステップＳ３０９において、ＣＰＵ１３６は、携帯電話機２００のＬＣＤ表示部２１５の表示解像度や、携帯電話機２００の所有者情報などのリモコン側の情報をバッファメモリ１３５に格納してステップＳ３１０へ進む。ステップＳ３１０において、ＣＰＵ１３６は、リモコン側の情報を受信したことを示す信号を送受信回路１５０から送信してステップＳ３１１へ進む。ステップＳ３１１において、ＣＰＵ１３６は、携帯電話機２００に接続したことを示す画面をＬＣＤ表示部１１８に表示させてステップＳ３１２へ進む。
【００３７】
ステップＳ３１２において、ＣＰＵ１３６は、スルー画像の送信要求がされているか否か、ズーム操作による割り込みがあるか否かを判定する。ＣＰＵ１３６は、スルー画像が要求されており、かつズーム割り込みが生じていない場合にステップＳ３１２を肯定判定してステップＳ３１３へ進む。一方、スルー画像が要求されていない場合はステップＳ３１２を否定判定して判定処理を繰り返す。ステップＳ３１２を否定判定する場合には、次のフレーム画像の撮像を開始させる。また、ズーム割り込みが生じている場合は、後述する図７によるズーム動作用のサブルーチンへジャンプする。
【００３８】
ステップＳ３１３において、ＣＰＵ１３６は、携帯電話機２００のＬＣＤ表示部２１５の表示画素数（解像度）に応じてスルー画像データにリサイズ処理を施し、スルー画像の縮小画像データを生成してステップＳ３１４へ進む。ステップＳ３１４において、ＣＰＵ１３６は、スルー画像（縮小画像）データを送受信回路１５０から送信してステップＳ３１５へ進む。ステップＳ３１５において、ＣＰＵ１３６は、フレームメモリ１３７に表示用の画像データを格納してステップＳ３１２へ戻る。フレームメモリ１３７に表示用画像データが格納されると、電子スチルカメラ１００のＬＣＤ表示部１１８にスルー画像が表示される。なお、不図示のモニタ表示オフスイッチによってＬＣＤ表示部１１８の表示がオフされている場合には、ステップＳ３１５による処理は省略される。
【００３９】
図７は、ズーム操作された場合のサブルーチンを説明するフローチャートである。ステップＳ４０１において、ＣＰＵ１３６は、携帯電話機２００から送信されるズーム操作信号を送受信回路１５０で受信してステップＳ４０２へ進む。ステップＳ４０２において、ＣＰＵ１３６は、ズーム操作信号に応じてズームレンズ駆動装置１３８にレンズ駆動指令を出力し、ズームレンズ１３１の焦点距離を変化させる。ステップＳ４０３において、ＣＰＵ１３６は、携帯電話機２００のＬＣＤ表示部２１５の表示画素数（解像度）に応じてスルー画像データにリサイズ処理を施し、スルー画像の縮小画像データを生成してステップＳ４０４へ進む。ステップＳ４０４において、ＣＰＵ１３６は、スルー画像（縮小画像）データを送受信回路１５０から送信して図６のステップＳ３１２へ戻る。
【００４０】
図８は、レリーズ操作された場合のサブルーチンを説明するフローチャートである。図６の枠ａで囲まれた範囲内において、携帯電話機２００からのレリーズ操作信号が送受信回路１５０で受信され、このレリーズ操作信号がＣＰＵ１３６へ入力されると、ＣＰＵ１３６は図８によるレリーズ動作用のサブルーチンへジャンプする。ステップＳ５０１において、ＣＰＵ１３６は、携帯電話機２００から送信されるレリーズ操作信号を送受信回路１５０で受信してステップＳ５０２へ進む。ステップＳ５０２において、ＣＰＵ１３６は、レリーズ確認信号を送受信回路１５０から送信してステップＳ５０３へ進む。
【００４１】
ステップＳ５０３において、ＣＰＵ１３６は、不図示の測光回路で検出される被写体輝度により露出演算を行う（ＡＥ処理）とともに、不図示の焦点検出／調整装置でデフォーカス量を検出し、デフォーカス量に応じて撮影ズームレンズ１３１を合焦位置へ駆動する（ＡＦ処理）。これらのＡＥ処理およびＡＦ処理は、撮影用の露出制御値を算出し、撮影用の合焦動作を行うものである。ステップＳ５０４において、ＣＰＵ１３６は、シャッター音のデータを送受信回路１５０から送信してステップＳ５０５へ進む。
【００４２】
ステップＳ５０５において、ＣＰＵ１３６は、撮影を開始してステップＳ５０６へ進む。ステップＳ５０６において、ＣＰＵ１３６は、電子スチルカメラ１００の筐体の撮影レンズ側の面に設けられている不図示の撮影確認ランプを点灯させてステップＳ５０７へ進む。これにより、電子スチルカメラ１００で撮影される人に撮影開始が報知される。ステップＳ５０７において、ＣＰＵ１３６は、画像処理後の画像データからフリーズ画データを生成するように画像処理回路１３４に指示してステップＳ５０８へ進む。なお、不図示のモニタ表示オフスイッチによってＬＣＤ表示部１１８の表示がオフされている場合には、ステップＳ５０７による処理は省略される。
【００４３】
ステップＳ５０８において、ＣＰＵ１３６は、携帯電話機２００のＬＣＤ表示部２１５の表示画素数（解像度）に応じてフリーズ画像データにリサイズ処理を施し、フリーズ画像の縮小画像データを生成してステップＳ５０９へ進む。ステップＳ５０９において、ＣＰＵ１３６は、フリーズ画像（縮小画像）データと、このデータファイルの名称とを送受信回路１５０から送信してステップＳ５１０へ進む。ステップＳ５１０において、ＣＰＵ１３６は、フリーズ画像データを表示用画像データとしてフレームメモリ１３７に格納し、ステップＳ５１１へ進む。フレームメモリ１３７に表示用画像データが格納されると、電子スチルカメラ１００のＬＣＤ表示部１１８にフリーズ画像が表示される。なお、不図示のモニタ表示オフスイッチによってＬＣＤ表示部１１８の表示がオフされている場合には、ステップＳ５１０による処理は省略される。ＣＰＵ１３６はさらに、圧縮後の画像データを記録媒体１４０に記録する。
【００４４】
ステップＳ５１１において、ＣＰＵ１３６は、画像データ削除の要求があるか否かを判定する。ＣＰＵ１３６は、画像データ削除を要求する信号が送受信回路１５０で受信されると、ステップＳ５１１を肯定判定してステップＳ５１２へ進み、画像データ削除を要求する信号が受信されない場合は、ステップＳ５１１を否定判定してステップＳ５１４へ進む。ステップＳ５１２において、ＣＰＵ１３６は、削除する画像データファイル名を送受信回路１５０で受信してステップＳ５１３へ進む。ステップＳ５１３において、ＣＰＵ１３６は、受信した名称の画像データファイルを記録媒体１４０から削除して図６のステップＳ３１２へ戻る。なお、音声メモを記録する音声データが削除すべき画像データファイルと関連づけて記録されている場合には、この音声データも合わせて削除する。
【００４５】
ステップＳ５１４において、ＣＰＵ１３６は、ステップＳ５１０においてフリーズ画表示してから所定時間（たとえば、３秒間）が経過したか否かを判定する。ＣＰＵ１３６は、３秒以上経過した場合にステップＳ５１４を肯定判定して図６のステップＳ３１２へ戻り、３秒経過していない場合にステップＳ５１４を否定判定してステップＳ５１１へ戻る。
【００４６】
図９は、電源オフ操作された場合のサブルーチンを説明するフローチャートである。図６の枠ｂで囲まれた範囲内において、電源スイッチ１１１のオフ操作信号がＣＰＵ１３６へ入力されると、ＣＰＵ１３６は図９による電源オフ動作用のサブルーチンへジャンプする。ステップＳ６０１において、ＣＰＵ１３６は、電源オフ操作信号が入力されるとステップＳ６０２へ進む。ステップＳ６０２において、ＣＰＵ１３６は、通信切断要請信号を送受信回路１５０から送信してステップＳ６０３へ進む。ステップＳ６０３において、ＣＰＵ１３６は、スリープの設定をリモコン動作モードがオンされる前の値に戻してステップＳ６０４へ進む。ステップＳ６０４において、ＣＰＵ１３６は、不図示の電源回路をオフして電源オフ処理を終了する。
【００４７】
図１０は、リモコン動作モードがオフされる場合のサブルーチンを説明するフローチャートである。図６の枠ｂで囲まれた範囲内において、リモコン動作モードオン／オフ切替えスイッチ１１７がオフ操作されるか、携帯電話機２００から送信される通信切断要請信号が送受信回路１５０で受信されると、ＣＰＵ１３６は図１０によるサブルーチンへジャンプする。ステップＳ７０１において、ＣＰＵ１３６は、リモコン動作モードオン／オフ切替えスイッチ１１７からオフ操作信号が入力されたか、送受信回路１５０で通信切断要請信号が受信されたかを判定する。ＣＰＵ１３６は、オフ操作入力された場合にステップＳ７０２へ進み、通信切断要請信号が受信された場合はステップＳ７０３へ進む。ステップＳ７０２において、ＣＰＵ１３６は、通信切断要請信号を携帯電話機２００へ送信するように送受信回路１５０に指示してステップＳ７０３へ進む。
【００４８】
ステップＳ７０３において、ＣＰＵ１３６は、スリープの設定をリモコン動作モードがオンされる前の値に戻してステップＳ７０４へ進む。ステップＳ７０４において、ＣＰＵ１３６は、操作者が設定した動作モードに切り換えて図１０による処理を終了する。
【００４９】
携帯電話機２００のＣＰＵ２３２によって行われるリモコン動作処理の流れを、図１１のフローチャートを参照して説明する。ステップＳ８０１において、ＣＰＵ２３２は、不図示のアプリケーション起動スイッチが操作されることによってリモコンアプリケーションプログラムの起動信号が入力されると、携帯電話機２００にリモコン送受信機動作を開始させてステップＳ８０２へ進む。ステップＳ８０２において、ＣＰＵ２３２は、通信システムを起動してステップＳ８０３へ進む。通信システムが起動されると、送受信回路２３４からリモコン動作開始を示す信号が送信される。
【００５０】
ステップＳ８０３において、ＣＰＵ２３２は、送受信回路２３４から接続要求信号を送信してステップＳ８０４へ進む。ステップＳ８０４において、ＣＰＵ２３２は、接続相手を発見したか否かを判定する。接続相手は、あらかじめ登録されてメモリ２３３に記憶されている。ＣＰＵ２３２は、登録された接続相手から送信される通信に関する情報を送受信回路２３４で受信すると、ステップＳ８０４を肯定判定してステップＳ８０５へ進み、登録された接続相手からの通信に関する情報が受信できない場合はステップＳ８０４を否定判定してステップＳ８０６へ進む。通信の情報は、通信プロトコルで定められる所定の情報である。
【００５１】
ステップＳ８０５において、ＣＰＵ２３２は、発見した接続相手（ここでは、電子スチルカメラ１００）と通信接続してステップＳ８０８へ進む。ステップＳ８０６において、ＣＰＵ２３２は、接続相手（電子スチルカメラ１００）と接続できないことを示す接続エラー画面をＬＣＤ表示部２１５に表示させてステップＳ８０７へ進む。ステップＳ８０７において、ＣＰＵ２３２は、リトライ動作が指示されているか否かを判定する。リトライ動作をするように指示されている場合はステップＳ８０７を肯定判定してステップＳ８０３へ戻り、再度接続要求信号を送信する。一方、リトライ動作が指示されていない場合はステップＳ８０７を否定判定し、図１１による処理を終了する。この場合には、リモコン動作をしない。
【００５２】
ステップＳ８０８において、ＣＰＵ２３２は、リモコン側の情報を送受信回路２３４から送信してステップＳ８０９へ進む。リモコン側の情報は、携帯電話機２００のＬＣＤ表示部２１５の表示解像度や、携帯電話機２００の所有者情報などである。ステップＳ８０９において、ＣＰＵ２３２は、携帯電話機２００からの情報を電子スチルカメラ１００で受信したことを示す信号が電子スチルカメラ１００から送信され、この信号を送受信回路２３４で受信したか否かを判定する。ＣＰＵ２３２は、電子スチルカメラ１００からの信号を受信した場合にステップＳ８０９を肯定判定してステップＳ８１０へ進み、電子スチルカメラ１００からの信号を受信しない場合にステップＳ８０９を否定判定してステップＳ８０８へ戻る。
【００５３】
ステップＳ８１０において、ＣＰＵ２３２は、電子スチルカメラ１００に接続したことを示す画面をＬＣＤ表示部２１５に表示させてステップＳ８１１へ進む。表示画面には、電子スチルカメラ１００の名称も表示される。
【００５４】
ステップＳ８１１において、ＣＰＵ２３２は、スルー画像の送信要求を送受信回路２３４から送信してステップＳ８１２へ進む。ステップＳ８１２において、ＣＰＵ２３２は、電子スチルカメラ１００からのスルー画像データが送受信回路２３４で受信されたか否かを判定する。ＣＰＵ２３２は、スルー画像データが受信された場合にステップＳ８１２を肯定判定してステップＳ８１３へ進み、スルー画像データが受信されない場合にステップＳ８１２を否定判定してステップＳ８１１へ戻る。
【００５５】
ステップＳ８１３において、ＣＰＵ２３２は、受信された画像データをフレームメモリ２３５に格納してステップＳ８１１へ戻る。フレームメモリ２３５に表示用画像データが格納されると、携帯電話機２００のＬＣＤ表示部２１５にスルー画像が表示される。
【００５６】
図１２は、携帯電話機２００のＬＣＤ表示部２１５にスルー画像を表示中に、ズーム操作された場合のサブルーチンを説明するフローチャートである。図１１の枠Ａで囲まれた範囲内において、上述した第１のファンクションスイッチ２１２および第３のファンクションスイッチ２１４のいずれかからの操作信号がＣＰＵ２３２へ入力されると、ＣＰＵ２３２は図１２によるズーム動作用のサブルーチンへジャンプする。
【００５７】
ステップＳ９０１において、ＣＰＵ２３２は、ズーム操作信号が入力されるとステップＳ９０２へ進む。ステップＳ９０２において、ＣＰＵ２３２は、第１のファンクションスイッチ２１２から操作信号が入力された場合にズームダウン信号を送受信回路２３４から送信し、第３のファンクションスイッチ２１４から操作信号が入力された場合にズームアップ信号を送受信回路２３４から送信し、ステップＳ９０３へ進む。ステップＳ９０３において、ＣＰＵ２３２は、スルー画像の送信要求を送受信回路２３４から送信し、電子スチルカメラ１００からズーム後のスルー画像データを送受信回路２３４で受信してステップＳ９０４へ進む。
【００５８】
ステップＳ９０４において、ＣＰＵ２３２は、受信された画像データをフレームメモリ２３５に格納して図１１のステップＳ８１１へ戻る。フレームメモリ２３５に表示用画像データが格納されると、携帯電話機２００のＬＣＤ表示部２１５にズーム後のスルー画像が表示される。
【００５９】
図１３は、携帯電話機２００のＬＣＤ表示部２１５にスルー画像を表示中に、レリーズ操作された場合のサブルーチンを説明するフローチャートである。図１１の枠Ａで囲まれた範囲内において、上述した第２のファンクションスイッチ２１３からの操作信号がＣＰＵ２３２へ入力されると、ＣＰＵ２３２は図１３によるレリーズ動作用のサブルーチンへジャンプする。
【００６０】
ステップＳ１００１において、ＣＰＵ２３２は、ズーム操作信号が入力されるとステップＳ１００２へ進む。ステップＳ１００２において、ＣＰＵ２３２は、第２のファンクションスイッチ２１３から操作信号が入力された場合にレリーズ信号を送受信回路２３４から送信し、ステップＳ１００３へ進む。ステップＳ１００３において、ＣＰＵ２３２は、電子スチルカメラ１００から送信されるレリーズ確認信号を送受信回路２３４で受信してステップＳ１００４へ進む。
【００６１】
ステップＳ１００４において、ＣＰＵ２３２は、たとえば、「撮影します！」のメッセージをＬＣＤ表示部２１５に表示させてステップＳ１００５へ進む。ステップＳ１００５において、ＣＰＵ２３２は、電子スチルカメラ１００から送信されるシャッター音のデータを送受信回路２３４で受信してステップＳ１００６へ進む。ステップＳ１００６において、ＣＰＵ２３２は、音声入出力回路２３１へ受信した音声データを送り、シャッター音を再生させるとともに、たとえば、「撮影しました」のメッセージをＬＣＤ表示部２１５に表示させてステップＳ１００７へ進む。
【００６２】
ステップＳ１００７において、ＣＰＵ２３２は、電子スチルカメラ１００から送信されるフリーズ画像データと、このデータファイルの名称とを送受信回路１２３４で受信してステップＳ１００８へ進む。ステップＳ１００８において、ＣＰＵ２３２は、受信された画像データをフレームメモリ２３５に格納してステップＳ１００９へ進む。フレームメモリ２３５に表示用画像データが格納されると、携帯電話機２００のＬＣＤ表示部２１５にフリーズ画像が表示される。ＣＰＵ２３２はさらに、削除アイコン５４、フリーズ表示延長アイコン５５、および音声メモアイコン５６（図５（ｂ））をそれぞれ表示させる。
【００６３】
ステップＳ１００９において、ＣＰＵ２３２は、削除スイッチが操作されたか否かを判定する。ＣＰＵ２３２は、第１のファンクションスイッチ２１２から操作信号が入力された場合にステップＳ１００９を肯定判定してステップＳ１０１０へ進み、第１のファンクションスイッチ２１２から操作信号が入力されない場合にステップＳ１００９を否定判定してステップＳ１０１４へ進む。ステップＳ１０１０において、ＣＰＵ２３２は、たとえば、「削除してよろしいですか？」のメッセージをＬＣＤ表示部２１５に表示させてステップＳ１０１１へ進む。
【００６４】
ステップＳ１０１１において、ＣＰＵ２３２は、画像データ削除の確認を行う。ＣＰＵ２３２は、再び第１のファンクションスイッチ２１２から操作信号が入力された場合にステップＳ１０１１を肯定判定してステップＳ１０１２へ進み、再び第１のファンクションスイッチ２１２から操作信号が入力されない場合にステップＳ１０１１を否定判定して図１１のステップＳ８１１へ戻る。ステップＳ８１１へ戻る場合は、削除アイコン５４、フリーズ表示延長アイコン５５、および音声メモアイコン５６の表示を止める。ステップＳ１０１２において、ＣＰＵ２３２は、画像削除要求と削除するファイル名とを送受信回路２３４から送信してステップＳ１０１３へ進む。ステップＳ１０１３において、ＣＰＵ２３２は、たとえば、「削除完了しました」のメッセージをＬＣＤ表示部２１５に表示させて図１１のステップＳ８１１へ戻る。ステップＳ８１１へ戻る場合は、削除アイコン５４、フリーズ表示延長アイコン５５、および音声メモアイコン５６の表示を止める。
【００６５】
ステップＳ１０１４において、ＣＰＵ２３２は、ステップＳ１００８においてフリーズ画表示してから所定時間（たとえば、５秒間）が経過したか否かを判定する。ＣＰＵ２３２は、５秒以上経過した場合にステップＳ１０１４を肯定判定して図１１のステップＳ８１１へ戻り、５秒経過していない場合にステップＳ１０１４を否定判定してステップＳ１００９へ戻る。ステップＳ８１１へ戻る場合は、削除アイコン５４、フリーズ表示延長アイコン５５、および音声メモアイコン５６の表示を止める。所定時間を５秒間にして上述した電子スチルカメラ１００側の所定時間（ステップＳ５１４において３秒間）に比べて長くする理由は、被写体となる複数の人がフリーズ画表示を見たいと思う場合に備えて、あらかじめ表示時間を長くすることが好ましいと考えられるためである。
【００６６】
図１４は、リモコン動作を終了する場合のサブルーチンを説明するフローチャートである。図１１の枠Ｂで囲まれた範囲内において、不図示のアプリケーション終了スイッチが操作されるか、電子スチルカメラ１００から送信される通信切断要請信号が送受信回路２３４で受信されると、ＣＰＵ２３２は図１４によるサブルーチンへジャンプする。ステップＳ１１０１において、ＣＰＵ２３２は、不図示のアプリケーション終了スイッチから終了操作信号が入力されたか、送受信回路２３４で通信切断要請信号が受信されたかを判定する。ＣＰＵ２３２は、終了操作入力された場合にステップＳ１１０２へ進み、通信切断要請信号が受信された場合はステップＳ１１０３へ進む。ステップＳ１１０２において、ＣＰＵ２３２は、通信切断要請信号を電子スチルカメラ１００へ送信するように送受信回路２３４に指示してステップＳ１１０３へ進む。ステップＳ１１０３において、ＣＰＵ２３２は、アプリケーションを終了して図１４による処理を終了する。
【００６７】
以上説明した電子カメラシステムにおいて、レリーズ操作信号が入力された場合はレリーズ操作を優先する。たとえば、電子スチルカメラ１００から携帯電話機２００にスルー画像データを送信中に、携帯電話機２００でレリーズ操作が行われた（第２のファンクションスイッチ２１３が操作された）場合、携帯電話機２００のＣＰＵ２３２は、ただちにレリーズ操作信号を送受信回路２３４から送信する。電子スチルカメラ１００は、レリーズ操作信号を送受信回路１５０で受信すると、スルー画像データの送信を中止して撮影を開始する。これにより、撮影したいタイミングで撮影が行われるようになり、レリーズ操作に対する電子スチルカメラ１００の反応がよくなる。
【００６８】
以上説明した実施の形態によれば、次の作用効果が得られる。
（１）リモコン送受信機である携帯電話機２００からの操作信号によって電子スチルカメラ１００で撮像された画像（スルー画像、フリーズ画像）を、携帯電話機２００側のＬＣＤ表示部２１５の表示解像度に応じてリサイズ処理し、電子スチルカメラ１００から携帯電話機２００に送信するようにした。したがって、携帯電話機２００側で画像を確認することができる上に、表示に必要なデータサイズで電子スチルカメラ１００から携帯電話機２００に送信するので、データ送信に要する時間を最小限に抑えることができる。
（２）リモコン送受信機としてＪａｖａ（登録商標）アプリケーションで動作する携帯電話機２００を用いるので、リモコン専用機を用意する必要がなく、リモコン専用機を用意する場合に比べてコストを低減できる。
（３）リモコン送受信機である携帯電話機２００からの操作信号によって電子スチルカメラ１００が撮影を行うとき、電子スチルカメラからシャッター音の音声データを携帯電話機２００へ送信し、携帯電話機２００でシャッター音を再生するようにした。この結果、電子スチルカメラ１００から離れているリモコン操作者に撮影開始のタイミングを報知できる。
（４）携帯電話機２００のＬＣＤ表示部２１５にフリーズ画表示（ステップＳ１００８）されてから所定時間（たとえば、５秒）が経過するまでの間、電子スチルカメラ１００の記録媒体１４０に記録された画像データファイルを携帯電話機２００からのリモコン操作で削除するようにした。これにより、リモコン操作で撮影するとき、電子スチルカメラ１００から離れたままで不要な画像データを削除することができる。
（５）携帯電話機２００のＬＣＤ表示部２１５にフリーズ画表示（ステップＳ１００８）されてから所定時間（たとえば、５秒）が経過するまでの間、電子スチルカメラ１００の記録媒体１４０に記録された画像に関連づけて音声メモのデータを記録媒体１４０に記録するようにした。これにより、電子スチルカメラ１００から離れたままで音声メモを残すことができる。
【００６９】
接続されている電子スチルカメラ１００と携帯電話機２００との間の通信に異常が生じた場合、たとえば、電子スチルカメラ１００の筐体の撮影レンズ側の面に設けられている電子スチルカメラ１００の不図示の撮影確認ランプなどを点滅させて撮影者に報知するようにする。通信の異常とは、電子スチルカメラ１００および携帯電話機２００間の距離が開いて電波が届かなくなる場合などが含まれる。また、点滅させるランプは、撮影確認ランプの代わりにセルフタイマーなどの作動ランプを用いてもよい。
【００７０】
また、電子スチルカメラ１００および携帯電話機２００間の通信の異常が生じた場合に、携帯電話機２００のＬＣＤ表示部２１５や、電子スチルカメラ１００のＬＣＤ表示部１１８に通信異常の発生を示すメッセージを表示させるようにしてもよい。
【００７１】
さらにまた、電子スチルカメラ１００および携帯電話機２００間の通信の異常が生じた場合に、携帯電話機２００のスピーカ２３１Ｂから通信異常の発生を示すメッセージを再生させるようにしてもよい。
【００７２】
上述した例では、電子スチルカメラ１００からシャッター音のデータを携帯電話機２００へ送信し、携帯電話機２００で受信したシャッター音を再生させるようにした。シャッター音の代わりに、たとえば、「撮影しました」の音声メッセージのデータを携帯電話機２００で再生させるようにしてもよい。
【００７３】
以上の説明では、１台の電子スチルカメラ１００と１台の携帯電話機２００との組み合わせ（１対１）を例に上げて説明したが、１対多数の組み合わせであってもよい。たとえば、１台の電子スチルカメラ１００と５台の携帯電話機２００とをあらかじめ接続相手として登録しておけば、５台の携帯電話機２００の中でいずれの携帯電話機から送信されるレリーズ操作信号であっても、電子スチルカメラ１００に撮影を行わせることができる。この場合、スルー画像データおよびフリーズ画像データは、あらかじめ接続相手として登録した上で通信接続されている複数台の携帯電話機２００にそれぞれ送信される。
【００７４】
複数の携帯電話機２００との組み合わせで使用する場合には、電子スチルカメラ１００に複数の携帯電話機２００から各携帯電話機２００の所有者情報が送信される。電子スチルカメラ１００は、撮影した画像データを記録媒体１４０に記録するとき、上記所有者情報を撮影した画像データに関連づけて記録媒体に記録してもよい。複数の携帯電話機２００から所有者情報が電子スチルカメラ１００に送信されるとき、これらの携帯電話機２００を所有する人たちが被写体として電子スチルカメラ１００で撮影される可能性が高い。撮影した画像データとともに所有者情報を記録することで、一緒に撮影された人のリストを生成することが可能になる。
【００７５】
上述した例では、撮影した画像データを電子スチルカメラ１００の記録媒体１４０にのみ記録するようにしたが、撮影した画像データを携帯電話機２００へ送信し、携帯電話機２００内にも記録するようにしてもよい。
【００７６】
リモコン送受信機として携帯電話機２００を用いる例を説明したが、送受信回路１５０を有する電子スチルカメラ１００を複数台用い、いずれかのカメラをリモコン送受信機として使用するようにしてもよい。
【００７７】
以上の説明では、リモコン送受信機から操作されるズーム操作、レリーズ操作、画像データ削除などの操作を例にあげて説明したが、リモコン送受信機からは、メニュー操作を含めて電子スチルカメラ１００が有する全ての操作を行うことができる。
【００７８】
特許請求の範囲における各構成要素と、発明の実施の形態における各構成要素との対応について説明する。撮像装置は、たとえば、撮像素子１３２によって構成される。外部機器は、たとえば、携帯電話機２００によって構成される。通信回路および第１の通信回路は、たとえば、送受信回路１５０によって構成される。画像信号は、たとえば、撮像素子１３２による撮像信号が対応する。制御回路、記録回路、データ編集回路、記憶回路、および第１の制御回路は、たとえば、ＣＰＵ１３６によって構成される。編集指示は、たとえば、画像データ削除や音声メモの記録を指示するものである。付加データは、たとえば、音声データである。撮影開始を示すデータは、たとえば、シャッター音のデータが対応する。第２の通信回路は、たとえば、送受信回路２３４によって構成される。表示装置は、たとえば、ＬＣＤ表示部２１５によって構成される。第２の制御回路は、たとえば、ＣＰＵ２３２によって構成される。
【００７９】
【発明の効果】
以上詳細に説明したように本発明によれば、外部機器からの指示によって撮像した画像データを外部機器へ送信することができる。
【図面の簡単な説明】
【図１】一実施の形態による電子カメラシステムを説明する図である。
【図２】電子スチルカメラの概要を示すブロック図である。
【図３】携帯電話機の概要を示すブロック図である。
【図４】電子カメラシステムで送受されるデータの流れを説明する図である。
【図５】（ａ）携帯電話機のＬＣＤ表示部にスルー画像が表示されている例を示す図、（ｂ）携帯電話機のＬＣＤ表示部にフリーズ画像が表示されている例を示す図である。
【図６】電子スチルカメラのＣＰＵによって行われる撮影処理の流れを説明するフローチャートである。
【図７】ズーム操作された場合のサブルーチンを説明するフローチャートである。
【図８】レリーズ操作された場合のサブルーチンを説明するフローチャートである。
【図９】電源オフ操作された場合のサブルーチンを説明するフローチャートである。
【図１０】リモコン動作モードがオフされる場合のサブルーチンを説明するフローチャートである。
【図１１】携帯電話機のＣＰＵによって行われるリモコン動作処理の流れを説明するフローチャートである。
【図１２】スルー画像を表示中にズーム操作された場合のサブルーチンを説明するフローチャートである。
【図１３】スルー画像を表示中にレリーズ操作された場合のサブルーチンを説明するフローチャートである。
【図１４】リモコン動作を終了する場合のサブルーチンを説明するフローチャートである。
【符号の説明】
１００…電子スチルカメラ、　　　　　１１１、２１１…電源スイッチ、
１１２…レリーズボタン、　　　　　　１１３…ズームダウンスイッチ、
１１４…ズームアップスイッチ、　　　１１５…画像データ削除スイッチ、
１１６…画像データ表示延長スイッチ、１１７…リモコン動作モードオン／オフ切替えスイッチ、　　　　　　　　　　１１８、２１５…ＬＣＤ表示部、
２００…携帯電話機、　　　　　　　　２１２…第１のファンクションスイッチ、
２１３…第２のファンクションスイッチ、
２１４…第３のファンクションスイッチ、
３００…通信媒体
【図１】
2004096166.tif 000003
【図２】
2004096166.tif 000004
【図３】
2004096166.tif 000005
【図４】
2004096166.tif 000006
【図５】
2004096166.tif 000007
【図６】
2004096166.tif 000008
【図７】
2004096166.tif 000009
【図８】
2004096166.tif 000010
【図９】
2004096166.tif 000011
【図１０】
2004096166.tif 000012
【図１１】
2004096166.tif 000013
【図１２】
2004096166.tif 000014
【図１３】
2004096166.tif 000015
【図１４】
2004096166.tif 000016